(57)【要約】【課題】  従来より錠ケースの取り付けが困難とされていた門扉等の扉に対し、錠を簡単に装着でき、少なくとも錠に対する防水効果を達成するとともに、錠内部の部品の錆び防止や作動不良等を解消できる扉への錠取付装置を提供すること。【解決手段】  錠ケースを彫り込み又は面付けできない門扉等の扉１に補助部材７を設けるとともに、この補助部材７に錠ボックス２０を設け、該錠ボックス２０内に錠ケース３０を内装してあり、門扉等の扉が対向する柱や枠４には、前記錠ボックス２０に相対向して錠受ボックス５０を設け、この錠受ボックス５０内には前記錠ケース３０に設けられた錠杆３２を出没自在に係入する受孔４２を有する受部材４０を内装してある。【選択図】        図３
2006028810.tif 000002
【特許請求の範囲】
【請求項１】
錠ケースを彫り込み又は面付けできない門扉等の扉に補助部材を設けるとともに、この補助部材に錠ボックスを設け、該錠ボックス内に錠ケースを内装してなることを特徴とする門扉等の扉への錠取付装置。
【請求項２】
門扉等の扉が対向する柱や枠には、前記錠ボックスに相対向して錠受ボックスを設け、この錠受ボックス内には前記錠ケースに設けられた錠杆を出没自在に係入する受孔を有する受部材を内装してある請求項１に記載の門扉等の扉への錠取付装置。
【発明の詳細な説明】
【技術分野】
【０００１】
本発明は、門扉や建物などの扉に取り付ける錠取付装置に関する。
【背景技術】
【０００２】
門扉や建物などの扉（以下単に扉という）にシリンダー錠や電気錠の錠ケースを取り付ける場合、一般的には、該扉の端面側に形成した切欠きに錠ケースを埋設する彫り込み方式か、又は扉の内側または外側に面付けする面付け方式によって取り付けられている。
【０００３】
しかしながら、上記彫り込み方式や面付け方式によって錠ケースを取り付けることができない扉、例えば、縦枠及び横枠がパイプで構成されている門扉や、厚味の薄い扉などでは、錠を取り付けられないものとして諦められていた。
本願発明者の知見するところでは、上記のような場合に適切に対処した、門扉等の扉への錠取付装置は、現在まで知らない。
【発明の開示】
【発明が解決しようとする課題】
【０００４】
本発明は、従来より錠ケースの取り付けが困難とされていた門扉等の扉に対し、錠を簡単に装着でき、少なくとも錠に対する防水効果を達成するとともに、錠内部の部品の錆び防止や作動不良等を解消できる扉への錠取付装置を提供することを目的としている。
【課題を解決するための手段】
【０００５】
上記課題を解決するため、本発明の門扉等の扉への錠取付装置は、錠ケースを彫り込み又は面付けできない門扉等の扉に補助部材を設けるとともに、この補助部材に錠ボックスを設け、該錠ボックス内に錠ケースを内装してなることを特徴とする（請求項１参照）。
【０００６】
ここで、錠ケースとは、普通のシリンダー錠や電気錠などの錠（錠前）の錠本体側のケースを言い、この錠ケースと、相手側の柱や枠に取り付けられる受部材（ストライキとも言う）とで錠（錠ユニット）が構成される周知のものである。
【０００７】
また、補助部材は、後述する実施例で明らかになるが、門扉等の扉と錠ボックスとを連結するものであり、その形状は適宜に設計変更できるものである。
【０００８】
さらに、錠ボックスは、前記錠ケースを収容するものであり、錠ケースの錠杆が出没できるように形成されており、該錠ボックスの形状はその収容する錠ケースに合わせて変更することができる。
【０００９】
本発明では、門扉等の扉が対向する柱や枠には、前記錠ボックスに相対向して錠受ボックスを設け、この錠受ボックス内には前記錠ケースに設けられた錠杆を出没自在に係入する受孔を有する受部材を内装してある（請求項２）方が好ましい。
このように受部材も錠受ボックスにより収容するようにすれば、受部材も防水効果等が達成できる。
【００１０】
この場合の錠受ボックスは、前記受部材を収容するものであり、錠ケースの錠杆が出没できるように形成されており、該錠受ボックスの形状はその収容する受部材に合わせて変更することができる。
【発明の効果】
【００１１】
本発明の請求項１の門扉等の扉への錠取付装置によれば、錠ケースを内装した錠ボックスを、補助部材を介して門扉等の扉に取り付けるようにしているから、従来から錠ケースが取り付けられなかった扉に対して、錠ケース（錠）を簡単に装着できる。また、錠ケースは錠ボックスに内装されているから、該錠ケースが雨などに濡らされることがなく防水効果があるため、水滴に帰因する錠ケース内部の部品の錆びの発生が防止できるとともに、該内部部品の作動不良なども防止できる。特に、電気錠の場合には水滴による電気的接触不良による作動不良などが起り易いが、本発明によればこれを確実に防止できる。
【００１２】
請求項２の門扉等の扉への錠取付装置によれば、受部材を内装した錠受ボックスを、相手方の柱や枠に設けているから、前記錠ケースの場合と同様に、受部材が雨などに濡らされることなく防水効果があるため、水滴による受部材内部の部品の錆の発生等が防止できる。
【実施例】
【００１３】
本発明の一実施例を図１〜図４に基づいて以下に説明する。
図１は、本発明に係る門扉等の扉への錠取付装置が取り付けられた門扉の全体を示す斜視図である。
この図１で、１は扉（具体的には門扉であるが、本発明は門扉以外の建物などの扉も含むものであるから、以下においては扉という。）であって、この扉１の一端側は相手方の柱又は枠２にヒンジ３で回動自在に枢支され、該扉１の他端側と相手方の柱又は枠４とには錠取付装置１０を設けており、閉扉状態時に前記錠取付装置１０に設けられている錠（錠前）ユニットを作動させることにより錠杆を突出又は没入して施錠又は解錠されるようにしてある。
【００１４】
前記扉１は、この実施例では、図１に示されているように、半楕円形状の外郭支柱１ａと、扉１の開放端側に向けて形成された４本の曲管１ｂと、前記外郭支柱１ａと曲管１ｂ間に形成された縦管１ｃとで構成し、これらの外郭支柱１ａと曲管１ｂと縦管１ｃとは金属製のパイプで構成されている。従って、これれらパイプからなる外郭支柱１ａ、曲管１ｂ及び縦管１ｃに、通常使用されているシリンダー錠や電気錠等の錠ケースを埋設し又は面付けすることはできない。
【００１５】
この扉１は、本実施例では、枢支端側を回動支点として自由端側（錠取付装置１０が取り付けてある側）を内側へ開放する内開き式に構成しているが、扉１の外側に錠取付装置１０を面付けするなどして外側へ開放する外開き式扉にも適用できることは勿論である。
【００１６】
また、扉１を構成する外郭支柱１ａの内側には、図２及び図３に示すように、該外郭支柱１ａの曲面に沿うように断面円弧状に形成した折曲板５を当てがって、これをビス６で複数個所を固定している。
【００１７】
前記折曲板５の外面には、図２や図３に示すように、例えば断面が方形状等のパイプの一辺側を切除し、その切断した開口端部を溶接８などで固定した補助部材７が固定してある。
【００１８】
補助部材７の外面には溶接８などで錠ボックス２０が固定してある。この錠ボックス２０は、シリンダー錠や電気錠などの錠ケース３０を内装するものである。すなわち、この錠ボックス２０は、錠ケース３０を内装できる適宜大きさの方形状箱体としてあり、該方形状箱体からなる錠ボックス２０の前面は上下両端部を除き殆ど全体が開口されている。つまり、錠ボックス２０の前面開口部２１の上下両端部には折曲部２２、２２を形成しているとともに、該折曲部２２、２２より少し後部側に該折曲部２２、２２より長い第２折曲部２３、２３を形成している。
また、錠ボックス２０の適所には錠ケース３０のシリンダー３３を嵌装するためのシリンダー嵌挿穴２４が形成されている。
【００１９】
本発明に適用される錠（錠前）としては、普通のシリンダー錠や電気錠などであり任意である。
この実施例では、外装ケース３１内に錠杆３２を内装した錠ケース３０と、前記錠ケース３０に対向して設けられて錠杆３２を受孔４２に係脱して施解錠される受部材４０とからなる、公知の電気錠を使用している。
【００２０】
錠ケース３０は、外装ケース３１と、錠杆３２と、錠杆３２を出没するためのソレノイド等の作動部品（図示せず）、シリンダー３３、リード線などを有しており、公知のものである。
なお、錠ケース３０の下部には、図１及び図２に示すように、落し棒３４を上下動可能に設けており、閉扉時には該落し棒３４を下げることにより、扉の位置決めをするとともに、揺動を防止するようにしている。同図１及び図２で、３５は落し棒３４を案内するための支持片である。
【００２１】
上記錠ケース３０を錠ボックス２０に組み付ける場合について説明すると、先ず、シリンダー３３を取り付けていない錠ケース３０の外装ケース３１を、錠ボックス２０の前面開口部２１から嵌入して、錠ケース３０のフロント板３７を錠ボックス２０の第２折曲部２３に当接させ、該フロント板３７を第２折曲部２３にビス等の締結部材２５で固定する。このとき、フロント板３７と、錠ボックス２０の前面の折曲部２２との前面同士は面一となるようにして、外観を良好ならしめている。
【００２２】
次に、錠ボックス２０の側面に形成されたシリンダー嵌挿穴２４にシリンダー３３を嵌装して固定する。
なお、図４で３６はトリガーである。
【００２３】
一方、門扉等の扉１が対向する柱や枠４には、前記錠ボックス２０に相対向して錠受ボックス５０を設け、この錠受ボックス５０内には前記錠ケース３０に設けられた錠杆３２を出没自在に係入する受孔４２を有する受部材４０を内装してある。
【００２４】
すなわち、錠受ボックス５０は、錠の受部材４０の形状に応じて、その形状や大きさなどは規制されるものであるが、前記錠ボックス２０と同様に、縦長で方形状の箱体としてあり、該錠受ボックス５０の前面は上下両端部を除き殆ど全体が開口されており、この前面開口部５１の上下両端部には折曲部５２、５２を形成しているとともに、該折曲部５２、５２より少し後部側に該折曲部５２、５２より長い第２折曲部５３、５３を形成している。
【００２５】
上記受部材４０を錠受ボックス５０に組み付ける場合について以下に説明する。この場合の組付方法は、錠ケース３０を錠ボックス２０に組み付ける方法と同様である。すなわち、受部材４０を錠受ボックス５０の前面開口部５１から嵌入して、受部材４０のフロント板４１を錠受ボックス５０の第２折曲部５３に当接させ、該フロント板４１を第２折曲部５３にビス等の締結部材５５で固定する。このとき、フロント板４１と、錠受ボックス５０の前面の折曲部５２との前面同士は面一となるようにして、外観を良好ならしめている。
【００２６】
なお、図３で、４３はラチェットであり、これによって錠杆３２の回転を電気的に阻止または許容するようにしている。
図４で、５６は電気コードである。
【００２７】
また、錠受ボックス５０は、本実施例では、図３に示すように、前面壁奥側５０ａと後面壁奥側５０ｂとの間に断面コ字状の板５７を嵌装し、該コ字状の板５７の前部折曲部５７ａと後部折曲部５７ｂとをビス等の締結部材５８で固定してある。そして、このコ字状の板５７と柱又は枠４とをビス等の締結部材５９で固定してある。
【００２８】
なお、補助部材７を錠ボックス２０及び扉１に取り付ける方法は、上記実施例のものに限定されない。例えば、図５に示すように、錠ボックス２０の一側に一対の鍔部６０．６０を突設し、この一対の鍔部６０，６０を補助部材７の一端側７ａ、７ａに嵌合するとともに、両者６０，７ａをビス等の締結部材６１で固定する一方、補助部材７の他端側７ｂ、７ｂを扉１の外郭支柱１ａに折曲板５を介して溶接などで固定するものでもよい。
【００２９】
本発明が適用される扉１は、本実施例で示したパイプ状のものに限らず、厚味の薄い扉などでもよく、錠ケースを彫り込み又は面付けできないすべての扉に適用できる。
【００３０】
シリンダー３３は、本実施例では錠ボックス２０により被覆されていないが、この錠ボックス２０にシリンダー３３を被覆するカバー（図示せず）を設けて、該カバーでシリンダー３３の鍵穴を除く外装を被覆するように構成することもできる。
【産業上の利用可能性】
【００３１】
本発明は、回動式扉や開き戸式扉に限らず適用することができる。
【図面の簡単な説明】
【００３２】
【図１】本発明の一実施例の門扉の全体を示す斜視図である。
【図２】図１で示した錠取付装置近傍を拡大して示した斜視図である。
【図３】図１の状態から扉を閉じた閉扉状態における錠取付装置近傍の拡大水平断面図である。
【図４】図３の縦断面図である。
【図５】補助部材の他の取付方法を示す変形例の水平断面図である。
【符号の説明】
【００３３】
１        扉（門扉）
２        柱又は枠
４        柱又は枠
７        補助部材
１０      錠取付装置
２０      錠ボックス
３０      錠ケース
３２      錠杆
３７      フロント板
４０      受部材
４１      フロント板
４２      受孔
５０      錠受ボックス
６０      鍔部
【図１】
2006028810.tif 000003
【図２】
2006028810.tif 000004
【図３】
2006028810.tif 000005
【図４】
2006028810.tif 000006
【図５】
2006028810.tif 000007